(57)【要約】【課題】空気清浄機を持ち運んで任意の屋内空間部に設置できるにもかかわらず、外気導入及び内気排気を実行できる換気設備を得る。【解決手段】換気設備２０は建物の外壁部１６に設けられた通気通路２１と、持ち運び可能な空気清浄機２２とを備えている。通気通路２１の屋内側開口部には屋内側換気口４０が設けられている。その屋内側換気口４０には接続口が形成されており、その接続口にダクト９１の口元９２が挿入されることで通気通路２１と空気清浄機２２とが接続される。そして、接続口からダクト９１の口元９２を抜けば、両者の接続は解除される。一方、空気清浄機２２は内蔵されたファン装置８５を正逆回転させることにより、通気通路２１を通じた外気導入及び内気排気が選択的に実行されるものである。【選択図】図１
2009186126.tif 000002
【特許請求の範囲】
【請求項１】
建物の外壁部に屋内外に通じる通気通路が設けられる一方、持ち運び可能であってかつ前記通気通路に対して接続及び接続解除が可能な空気清浄機を備え、
前記空気清浄機は、前記通気通路に対して接続された状態で、前記通気通路を通じた外気導入及び内気排気が選択的に実行されるものであることを特徴とする換気設備。
【請求項２】
前記空気清浄機は内気循環機能を有し、前記通気通路を通じた外気導入と同時に内気循環を実行する請求項１に記載の換気設備。
【請求項３】
前記空気清浄機は、床に設置されるものである請求項１又は２に記載の換気設備。
【請求項４】
前記空気清浄機は、該空気清浄機に内蔵されたファン装置の回転方向を反転させることにより、外気導入状態と内気排気状態とが切り替えられる請求項１乃至３のいずれか１項に記載の換気設備。
【請求項５】
前記空気清浄機は機器本体と前記通気通路との間をつなぐダクトを備え、
前記ダクトの接続部には前記空気清浄機の駆動電源を受電する受電部が設けられる一方、前記通気通路側には前記受電部に電源を供給する給電部が設けられている請求項１乃至４のいずれか１項に記載の換気設備。
【請求項６】
前記空気清浄機は機器本体と前記通気通路との間をつなぐダクトを備え、
前記ダクトは通路側ダクトと機器側ダクトとが着脱自在に連結されてなり、該連結部にはフィルタが設けられている請求項１乃至５のいずれか１項に記載の換気設備。
【請求項７】
前記通気通路の屋内側開口部には、前記空気清浄機の非接続状態で前記通気通路を屋内空間部に対して連通又は非連通の状態とする蓋部材が設けられ、
前記ダクトを前記蓋部材に接続可能とし、その接続状態では前記通気通路を屋内空間部に対して非連通で、かつダクト内に対して連通状態とした請求項１乃至６のいずれか１項に記載の換気設備。
【請求項８】
前記通気通路には、前記空気清浄機の接続状態及び非接続状態のいずれにおいても当該通気通路を開閉可能な開閉手段が設けられている請求項１乃至７のいずれか１項に記載の換気設備。
【請求項９】
屋内外それぞれの空気環境を検出する空気環境検出手段と、
前記空気環境検出手段の検出結果に基づいて、前記空気清浄機の駆動を制御する制御手段と、
を備えた請求項１乃至８のいずれか１項に記載の換気設備。
【請求項１０】
請求項１乃至９のいずれか１項に記載の換気設備を備えた空間部と、
前記空間部とは別の他空間部と、
を備え、
前記他空間部と屋外とを仕切る外壁部には、前記通気通路が形成されていることを特徴とする建物。
【発明の詳細な説明】
【技術分野】
【０００１】
本発明は、換気設備及びそれを備えた建物に関する。
【背景技術】
【０００２】
一般に、建物の屋内空間部（例えば、居室等）において、当該空間部内の空気に含まれる埃、花粉、臭気等を除去することにより空気の清浄化する空気清浄機が設置される場合がある（例えば、特許文献１参照）。この空気清浄機は屋内空間部を仕切る壁部に埋め込まれた状態で設置されたり、屋内空間部の床部に据え置かれたりする。このうち、後者の据置型空気清浄機は任意の屋内空間部に持ち運ぶことが可能であるため、空気清浄機を常設する必要がないというメリットを有している。
【特許文献１】特開２００５−７６９０８号公報
【発明の開示】
【発明が解決しようとする課題】
【０００３】
しかしながら、上記据置型空気清浄機はあくまで内気循環機能を有するだけであり、外気を導入することができないという点が懸念されていた。
【０００４】
この点、壁部に埋め込まれた状態で設置される据付型の空気清浄機であれば、壁部等に配設された外気導入用のダクトとの接続状態が常時保持される。このため、外気導入機能を備えた空気清浄機が従来提案されてはいる。
【０００５】
ところが、このような据付型の空気清浄機では持ち運びができないため、空気清浄化及び外気導入の両者を必要とする屋内空間部のすべてに据付型空気清浄機を設置する必要が生じ、換気設備の設置費用が高くなってしまうという点が懸念される。
【０００６】
そこで、本発明は、空気清浄機を持ち運んで任意の屋内空間部に設置できるにもかかわらず、外気導入及び内気排気を実行できる換気設備、及びそれを備えた建物を提供することを主たる目的とするものである。
【課題を解決するための手段】
【０００７】
本発明は、上記課題を解決するために、以下の手段を採用した。
【０００８】
すなわち、第１の発明では、建物の外壁部に屋内外に通じる通気通路が設けられる一方、持ち運び可能であってかつ前記通気通路に対して接続及び接続解除が可能な空気清浄機を備え、前記空気清浄機は、前記通気通路に対して接続された状態で、前記通気通路を通じた外気導入及び内気排気が選択的に実行されるものである。
【０００９】
この第１の発明によれば、外壁部に面した空間部を複数備えた建物では、各空間部において通気通路を形成しておけば、任意の空間部に空気清浄機を持ち運んで通気通路と接続させることが可能となる。これにより、すべての屋内空間部に空気清浄機を常設する必要がなくなり、設備費用を低く抑えることができる。そして、通気通路に対して空気清浄機を接続すれば、通気通路を通じて屋内空間部への外気導入及び同空間部の内気排気を選択的に実行できる。その結果、空間部に屋外の新鮮な空気を導入して当該空間部の二酸化炭素濃度を下げて酸素濃度を上げたり、又は内気排気により空間部の埃、花粉、臭気等を除去したりして屋内空間部の空気環境を改善できる。
【００１０】
このように本発明によれば、空気清浄機を持ち運んで任意の室内空間部に設置できるにもかかわらず、外気導入及び内気排気の実行が可能となる。このため、納戸や小屋裏等の空気清浄機が常設されない空間部でも空気を清浄化させることができる。
【００１１】
第２の発明では、前記空気清浄機は内気循環機能を有し、前記通気通路を通じた外気導入と同時に内気循環を実行するものである。
【００１２】
この第２の発明によれば、外気導入と内気循環とが同時に実行されるため、屋内に屋外の新鮮な空気を導入しながら内気自体の清浄化も可能となり、屋内空間部の空気環境をより一層改善できる。
【００１３】
第３の発明では、前記空気清浄機は、床に設置されるものである。
【００１４】
この第３の発明によれば、床上の埃等が積極的に吸い込まれるため、空間部の空気清浄化が促進される。なお、埃等の積極的な吸い込みをより一層促進するために、空気清浄機の下部に空気取入口が設けられていることが好ましい。
【００１５】
第４の発明では、前記空気清浄機は、該空気清浄機に内蔵されたファン装置の回転方向を反転させることにより、外気導入状態と内気排気状態とが切り替えられる。
【００１６】
この第４の発明によれば、外気導入を実行するファン装置と内気排気を実行するファン装置とが共通化されるため、それぞれ個別のファン装置を設置するのに比べ、構成を単純化できるし製造コストを低減させることもできる。
【００１７】
第５の発明では、前記空気清浄機は機器本体と前記通気通路との間をつなぐダクトを備え、前記ダクトの接続部には前記空気清浄機の駆動電源を受電する受電部が設けられる一方、前記通気通路側には前記受電部に電源を供給する給電部が設けられている。
【００１８】
この第５の発明によれば、ダクトの接続部を通気通路に対して接続すれば、通気通路側の給電部から接続部の受電部に駆動電源が供給される。これにより、電源コンセントの有無や設置箇所等に関係なく、空気清浄機に駆動電源を供給できる。
【００１９】
第６の発明では、前記空気清浄機は機器本体と前記通気通路との間をつなぐダクトを備え、前記ダクトは通路側ダクトと機器側ダクトとが着脱自在に連結されてなり、該連結部にはフィルタが設けられている。
【００２０】
この第６の発明によれば、ダクトを通じて外気が導入される場合に、フィルタ通過によって清浄化された外気が機器本体に送られる。これにより、機器本体に送られた外気をそのまま空間部に排出することが可能となるし、また、本体側フィルタを通過させれば、導入される外気の一層の清浄化を実現できる。そして、通路側ダクトと機器側ダクトとの連結を解除すればフィルタを交換することもできる。
【００２１】
第７の発明では、前記通気通路の屋内側開口部には、前記空気清浄機の非接続状態で前記通気通路を屋内空間部に対して連通又は非連通の状態とする蓋部材が設けられ、前記ダクトを前記蓋部材に接続可能とし、その接続状態では前記通気通路を屋内空間部に対して非連通で、かつダクト内に対して連通状態とした。
【００２２】
この第７の発明によれば、通気通路の開口部に設けられた蓋部材にダクトが接続されるため、その接続のために蓋部材を取り外すという余分な作業が不要となり、通気通路に対するダクトの接続作業を簡単に行うことができる。
【００２３】
第８の発明では、前記通気通路には、前記空気清浄機の接続状態及び非接続状態のいずれにおいても当該通気通路を開閉可能な開閉手段が設けられている。
【００２４】
この第８の発明によれば、開閉手段を通常時は開状態とし、例えば屋内外の空気環境（温度、湿度、埃や臭気等の含有による汚染度等の空気質、騒音等）の相違が著しい場合など所望の場合に閉状態とすることで、屋内に対する外気の影響を抑制できる。
【００２５】
なお、屋内外の空気環境を検出する空気環境検出手段を設けてその検出結果に応じて開閉手段を制御する制御手段を備えることで、開閉手段による通気通路の開閉が自動化され、建物利用者の利便性を高めることができる。また、単に通気通路を閉鎖するだけでなく通路閉鎖時に開閉手段を通じた熱伝導をも同時に抑制すべく、前記開閉手段は断熱性を有することが好ましい。
【００２６】
第９の発明では、屋内外それぞれの空気環境を検出する空気環境検出手段と、前記空気環境検出手段の検出結果に基づいて、前記空気清浄機の駆動を制御する制御手段と、を備えた。
【００２７】
この第９の発明によれば、制御手段により、屋内外の空気環境に応じた空気清浄機の駆動制御を実行できる。例えば、夏期に屋内より屋外の温度が低ければ外気導入を行い、逆に屋内より屋外の温度が高ければ内気循環のみを行ったり、外気の汚染度が基準値以上であれば内気循環のみを行い、内気の汚染度が基準値以上であれば内気排気を行うといった制御を実行できる。
【００２８】
第１０の発明では、上記各発明の換気設備を備えた空間部と、前記空間部とは別の他空間部と、を備えた建物であって、前記他空間部と屋外とを仕切る外壁部には、前記通気通路が形成されている。
【００２９】
この第１０の発明によれば、複数の空間部のうちの任意の空間部に空気清浄機を持ち運びその空間部の通気通路と接続させることで、任意の空間部に換気設備を設置できる。
【発明を実施するための最良の形態】
【００３０】
以下に、一実施の形態について図面を参照しつつ説明する。
【００３１】
まず、換気設備の構成を図１乃至図５を参照して説明する。なお、図１は換気設備を示す縦断面図、図２は屋内側換気口の正面図、図３は屋内側換気口の縦断面図である。また、図４は換気設備の斜視図、図５はダクトが接続された状態の屋内側換気口を示す縦断面図である。
【００３２】
図１に示されているように、換気設備２０は、建物の外壁部１６に設けられた通気通路２１に空気清浄機２２が接続されることで構成されている。通気通路２１は床面１７から３０〜４０ｃｍ程度の高さ位置に設けられた通路筒体２６により、前記外壁部１６を水平方向に貫通して形成され、その形成方向（通路軸線方向）に対する横断面が円形状をなしている。そして、この通気通路２１により、外壁部１６によって仕切られた屋外と屋内空間部１１との間が連通している。
【００３３】
通気通路２１の屋外側開口部には屋外側換気口３０が取り付けられている。屋外側換気口３０は通気通路２１の内径より若干小さい外径を有する円筒状の挿入筒部３１を備え、この挿入筒部３１が通気通路２１に挿入されることで屋外側換気口３０が通気通路２１に取り付けられている。また、屋外側換気口３０には、挿入筒部３１の屋外側開口部を覆うようにフード３２が設けられている。フード３２は下向きの開口部３３を有しており（後述する図１１参照）、通気通路２１に屋外側から風雨、埃、臭気等が入り込むことを抑制している。
【００３４】
一方、通気通路２１の屋内側開口部には屋内側換気口４０が設けられている。図２及び図３に示されているように、屋内側換気口４０は二重の筒体４１，４２からなり、外側の固定筒体４１は通気通路２１に取り付けられ、内側の可動筒体４２は蓋部材としての可動筒体４２を備えている。可動筒体４２は固定筒体４１の開口部４３を閉塞可能な蓋部７１を有している。その蓋部７１が屋内空間部１１側（以下、この屋内空間部１１側を前とする。）に突出した位置に配置されることで、固定筒体４１の開口部４３が開放され、通気通路２１と屋内空間部１１との間の空気流通が可能となる。
【００３５】
詳しく説明すると、固定筒体４１は本体筒部５１と蓋体収容部６１とを有している。本体筒部５１は通気通路２１の内径より若干小さい外径を有する円筒状をなし、本体筒部５１が通気通路２１に挿入されることで固定筒体４１が通気通路２１に取り付けられている。本体筒部５１の前端部には前記蓋部７１を収容する前記蓋体収容部６１が外壁部１６の内壁面と当接した状態で設けられている。蓋体収容部６１は正面視正方形状の薄箱状をなし、その収容凹部６２には同じく正面視正方形状の前記蓋部７１が収容されるようになっている。
【００３６】
前述したように、可動筒体４２は蓋部７１を有している。蓋部７１の背面側には、挿入筒部７２が設けられている。挿入筒部７２は本体筒部５１の内径より若干小さい外径を有する円筒状をなし、本体筒部５１に往復動可能な状態で挿入されている。挿入筒部７２の外周面には、通気通路２１の軸線方向に沿って溝７３が形成されている。この溝７３に収容される突部５２が本体筒部５１の内周面に設けられており、溝７３の軸線方向両壁部と突部５２とが当接する範囲で可動筒体４２が軸線方向に沿って往復動可能となっている。その移動範囲の前端では蓋部７１が蓋体収容部６１よりも前に突出し、固定筒体４１の開口部４３が開放された状態となっている。この状態が可動筒体４２の開位置である。一方、移動範囲の後端では蓋部７１が蓋体収容部６１に収容され、固定筒体４１の開口部４３は閉塞された状態となっている。この状態が可動筒体４２の閉位置である。
【００３７】
そして、挿入筒部７２の外周部と本体筒部５１の内周面に設けられた環状突部５３との間にコイルバネ４４が設けられている。このコイルバネ４４の付勢力により、可動筒体４２は開位置に通常配置されている。その状態から、可動筒体４２に対し軸線方向の後側へ力を加えると、コイルバネ４４の付勢力に抗して可動筒体４２は閉位置に移動する。その閉位置では、図示しないロック装置により可動筒体４２の移動がロックされてその配置状態が維持されるようになっている。なお、閉位置に配置された可動筒体４２に対し軸線方向の後側へ力をさらに加えると、前記ロック装置によるロックが解除されて可動筒体４２は開位置に復帰するようになっている。
【００３８】
可動筒体４２の挿入筒部７２には、その前端部において、挿入筒部７２の内外を連通する空気流通孔７４が周方向に沿って複数形成されている。可動筒体４２が開位置に配置された状態（図３の状態）では、この空気流通孔７４が固定筒体４１の開口部４３につながっている。そのため、可動筒体４２が開位置に配置されると、屋内空間部１１と挿入筒部７２内、本体筒部５１内、ひいては通気通路２１との間が連通され、空気の流通（図３の矢印参照）が可能となる。そして、前述した環状突部５３の奥側にはフィルタ４５が設けられており、空気が流通する場合にはこのフィルタ４５によって空気中の埃等が除去される。また、可動筒体４２が押し込まれて閉位置に配置されると、固定筒体４１の開口部４３が閉塞されるとともに空気流通孔７４も閉じられた状態となり、空気の流通はなされない（図５参照）。
【００３９】
次に、空気清浄機２２の構成について説明する。
【００４０】
図１に示されているように、空気清浄機２２は持ち運び可能な据置型の空気清浄機であり、屋内空間部１１の床面１７に載置される機器本体８１と、機器本体８１から延びるダクト９１とを備えている。機器本体８１にはその正面側下部に空気取入口８２が設けられ、正面側上部には空気排出口８３が設けられている。また、機器本体８１の背面側には前記ダクト９１の基端部が接続されている。ダクト９１の先端部は自由端となっており、その先端部には横断面円形状をなす口元９２が設けられている。
【００４１】
機器本体８１内にはフィルタ８４が設けられ、機器本体８１内に取り込まれた空気が空気排出口８３から排出される場合にこのフィルタ８４を通過するよう、機器本体８１内の流路が形成されている。また、機器本体８１には正逆回転可能なファン装置８５、及びそのファン装置８５を回転駆動させる電動モータ等の駆動装置８６が設けられている。そして、駆動装置８６によりファン装置８５を正回転させると、空気取入口８２及びダクト９１の先端開口部（口元９２の開口部）から機器本体８１に空気が取り込まれ、その空気がフィルタ８４を通過して花粉、埃、臭気等が除去された後、空気排出口８３から排出される。また、ファン装置８５を逆回転させると、空気取入口８２から取り込まれた空気がダクト９１に送られ、ダクト９１の先端開口部から排出される。
【００４２】
その他、機器本体８１には、ダクト９１につながる流路を遮断するバルブ装置８７が設けられている。このバルブ装置８７によりその流路が遮断されると、ファン装置８５の回転による空気流がダクト９１内に生じなくなり、ダクト９１を通じた空気の取り入れがなされなくなる。
【００４３】
空気清浄機２２の電気的構成として、空気清浄機２２はその駆動を制御する制御装置８８を備えている。制御装置８８はＣＰＵ等からなる周知の演算装置やメモリ等からなり、前記駆動装置８６及び前記バルブ装置８７と接続されている。また、制御装置８８には例えば機器本体８１の上面に設けられた操作装置８９と接続されている。操作装置８９には各種ボタンが設けられ、そのボタン操作に基づいて制御装置８８は空気清浄機２２の駆動を制御する。各種ボタンの例として、空気清浄機２２の運転を開始させる運転ボタン、その運転を停止させる停止ボタン、運転モードを切り替える切替ボタン、自動運転を実行する自動運転ボタン等がある。
【００４４】
空気清浄機２２の運転モードは、通常モード、内気循環モード及び排気モードの３モードからなり、制御装置８８は各モードに応じた運転制御を実行する。通常モードの場合、制御装置８８はファン装置８５を正回転させるとともにバルブ装置８７を開放する。これにより、空気取入口８２及びダクト９１の先端開口部から空気を取り入れて空気排出口８３から排出する運転が行われる。内気循環モードの場合、制御装置８８はファン装置８５を正回転させるとともにバルブ装置８７を閉鎖する。これにより、空気取入口８２から取り入れた空気を空気排出口８３から排出する運転が行われる。また、排気モードの場合、制御装置８８はファン装置８５を逆回転させるとともにバルブ装置８７を開放する。これにより、空気取入口８２から取り入れた空気をダクト９１の先端開口部から排出する運転が行われる。
【００４５】
ところで、前述したように、換気設備２０は前記通気通路２１に空気清浄機２２が接続されることで構成されている。この場合、具体的には空気清浄機２２のダクト９１が前記屋内側換気口４０に接続されている。そこで、次に、屋内側換気口４０と空気清浄機２２のダクト９１との接続構成について説明する。
【００４６】
まず、図２及び図３に示されているように、屋内側換気口４０の前記蓋部７１にはその中央部に蓋部７１を貫通する接続口７６が設けられ、接続口７６により屋内空間部１１と挿入筒部７２内とが連通されている。接続口７６は正面視において円形状をなし、その外径は挿入筒部７２の内径よりも小さく、かつダクト９１の口元９２が有する外径とほぼ同一となっている。接続口７６には開閉扉７７が設けられている。開閉扉７７は正面視半円状をなす上下一対の扉板７７ａ，７７ｂが組み合わされてなり、蓋部７１の背面側には接続口７６の開口縁部において各扉板７７ａ，７７ｂを開閉させるヒンジ部７８が設けられている。ヒンジ部７８にはねじりバネ等の付勢部材（図示略）が設けられており、その付勢力により開閉扉７７は接続口７６を閉じた状態で保持されている。このため、蓋部７１に接続口７６が設けられていても、蓋部７１は固定筒体４１の開口部４３を閉塞可能とする役割を維持している。そして、開閉扉７７に対してその開閉扉７７を奥側に押す力を加えると、付勢部材の付勢力に抗して開閉扉７７が挿入筒部７２内に向かって観音開き式で開かれる。
【００４７】
屋内側換気口４０とダクト９１とを接続する場合には、図４に示されているように、接続口７６にダクト９１の口元９２が挿入される。このため、本実施の形態では、ダクト９１の口元９２が接続部となっている。この場合、口元９２の挿入によって開閉扉７７が開かれ、可動筒体４２は閉位置に配置される。その結果、図５に示されているように、固定筒体４１の開口部４３が蓋部７１によって閉鎖されるとともに、口元９２の外周面と接続口７６の内周面とが接触し、口元９２の先端部が挿入筒部７２内に配置される。また、口元９２には上下に突出する突片９３が設けられており、その突片９３に設けられた固定用孔９４と蓋部７１に設けられた固定用孔７９とを利用し、ネジ等の締結具９５によってダクト９１の口元９２が蓋部７１に固定される。これにより、不用意に口元９２が外れてしまうことを防いでいる。
【００４８】
なお、締結具９５を取り外した後、接続口７６から口元９２を抜けばダクト９１と屋内側換気口４０との接続は解除される。このため、ダクト９１と屋内側換気口４０とは着脱自在となっている。
【００４９】
そして、この接続により、ダクト９１内部と通気通路２１とが連通した状態となっている。このため、通常モード運転の場合、屋外側換気口３０から取り込まれた外気が通気通路２１及びダクト９１を介して機器本体８１に導入される。また、排気モード運転の場合、屋内空間部１１の内気が機器本体８１に取り込まれた後、ダクト９１及び通気通路２１を介して屋外側換気口３０に送られ、その屋外側換気口３０から排出される。
【００５０】
また、屋内側換気口４０とダクト９１とが接続されることにより、屋外側に設けられた屋外側空気質センサ３６及び騒音センサ３７、並びに屋内側に設けられた屋内側空気質センサ４６が空気清浄機２２の制御装置８８にそれぞれ接続される。図１に示されているように、屋外側空気質センサ３６及び騒音センサ３７は例えば屋外側換気口３０に設けられ、屋内側空気質センサ４６は例えば屋内側換気口４０に設けられている。この場合、屋内外の空気質センサ３６，４６及び騒音センサ３７につながる通路側端子と、制御装置８８につながるダクト側端子とが、接続口７６への口元９２の挿入とともに接続される構成等、適宜の接続構成を採用することができる。このため、その接続構成の詳細な説明は省略する。
【００５１】
これら各空気質センサ３６，４６は、屋外又は屋内空間部の空気質（例えば温度、湿度、埃や臭気等の含有による汚染度等）を検出するセンサである。また、騒音センサ３７が屋外の騒音を検出するセンサである。本実施の形態では、これら各種センサが空気環境検出手段となっている。そして、各空気質センサ３６，４６からは屋外、屋内空間部１１それぞれの空気質に関する情報が、騒音センサ３７からは屋外の騒音レベルに関する情報が制御装置８８に逐次入力される。
【００５２】
次に、以上のように構成された換気設備２０の作用を説明する。
【００５３】
上記換気設備２０では、空気清浄機２２に電源を供給した後、ユーザにより操作装置８９の運転ボタン及び切替ボタン等を操作することにより、所望の運転が実行される。
【００５４】
まず、通常モードが選択されると、空気取入口８２から屋内空間部１１の内気が取り入れられる。それとともに、屋外側換気口３０から取り込まれた外気が通気通路２１及びダクト９１を介して機器本体８１に取り入れられる。この場合、外気はダクト９１内に導入される前にフィルタ４５を通過するため、フィルタ４５によって埃、花粉、臭気等が除去され清浄化された状態で機器本体８１に取り入れられる。そして、その取り入れられた空気は機器本体８１内のフィルタ８４を通過して清浄化された後、空気排出口８３から排出される。これにより、通常モード運転では、清浄化された外気が屋内空間部１１に導入されるとともに、屋内空間部１１の内気は清浄化を伴って循環される。
【００５５】
内気循環モードが選択されると、前述した内気循環のみが行われる。
【００５６】
排気モードが選択されると、空気取入口８２から屋内空間部１１の内気が取り入れられる。その取り入れられた内気はダクト９１及び通気通路２１を介して屋外側換気口３０に送られ、屋外側換気口３０から排出される。これにより、排気モード運転では、屋内空間部１１の内気が強制的に屋外に排出される。
【００５７】
次に、操作装置８９の自動運転ボタンがユーザにより操作されると、空気清浄機２２は前述したような個別のモード運転ではなく、自動運転が実行される。その自動運転処理の流れを図６に基づいて説明する。なお、この自動運転処理は、空気清浄機２２に電源が供給された後、制御装置８８により実行される。
【００５８】
図６に示されているように、ステップＳ１１にて、自動運転ボタンが操作されたか否かを判定する。この判定はボタン操作がなされるまで繰り返して行われ、操作されると判定を肯定して次のステップＳ１２に進む。ステップＳ１２では通常モードでの運転を実行する。このため、換気設備２０では、前述したように屋内空間部１１への外気導入と同空間部１１の内気循環とが同時に行われる。
【００５９】
続くステップＳ１３では、外気導入の停止状態か否かを判定する。この判定は、屋内外の空気質センサ３６，４６及び騒音センサ３７から得られる情報に基づいて行われ、外気導入によって弊害が生じる場合に外気導入の停止状態として予め設定されている。例として、夏期に屋内空間部１１の温度よりも外気温が高い場合、冬期に屋内空間部１１の温度よりも外気温が低い場合、外気の汚染度（花粉、埃、臭気等の含まれる程度）や屋外の騒音が基準値以上となった場合が挙げられる。外気導入の停止状態でなければ判定を否定し、次のステップＳ１４に進む。このステップＳ１４では、屋内空気質が基準値以上か否かを判定する。この判定は屋内側空気質センサ４６から得られる情報に基づいて行われる。屋内空間部１１内の空気質が基準値を下回っていれば判定を否定し、次のステップＳ１５に進む。このように、外気導入の停止状態でなく、屋内空気質も基準値を下回る場合にはステップＳ１５に進むことになる。
【００６０】
ステップＳ１５では、停止ボタンが操作されたか否かを判定する。ユーザにより停止ボタンが操作されていない場合には判定を否定して先のステップＳ１２に戻り、通常モードでの運転を継続させる。一方、停止ボタンが操作された場合には判定を肯定して本処理を終了する。
【００６１】
次に、前記ステップＳ１３の判定において、外気導入停止状態にある場合には判定を肯定しステップＳ２１に進む。ステップＳ２１では運転モードを通常モードから内気循環モードへ移行させ、続くステップＳ２２にて内気循環モードでの運転を実行する。これにより、換気設備２０では屋内空間部１１の内気循環のみが行われる。
【００６２】
その後、ステップＳ２３にて停止ボタンが操作されたか否かを判定する。ユーザにより停止ボタンが操作されていない場合には判定を否定して続くステップＳ２４に進み、停止ボタンが操作された場合には判定を肯定して本処理を終了する。ステップＳ２４では外気導入停止状態か否かを再び判定する。依然として外気導入停止状態である場合には判定を肯定して先のステップＳ２２に戻り、内気循環モードでの運転を継続させる。一方、外気の状態が改善されて外気導入停止状態でなくなれば判定を否定し、ステップＳ２５に進む。そのステップＳ２５では運転モードを内気循環モードから通常モードに移行させる。その後、先のステップＳ１２に戻り、通常モードでの運転を実行する。
【００６３】
次に、前記ステップＳ１４の判定において、屋内空間部１１の空気質が基準値以上である場合には判定を肯定しステップＳ３１に進む。ステップＳ３１では運転モードを通常モードから排気モードへ移行させ、続くステップＳ３２にて排気モードでの運転を実行する。これにより、換気設備２０では屋内空間部１１の内気が屋外に排出される。
【００６４】
その後、ステップＳ３３にて停止ボタンが操作されたか否かを判定する。ユーザにより停止ボタンが操作されていない場合には判定を否定して続くステップＳ３４に進み、停止ボタンが操作された場合には判定を肯定して本処理を終了する。ステップＳ３４では屋内空間部１１の空気質が基準値以上か否かを再び判定する。依然として基準値以上である場合には判定を肯定して先のステップＳ３２に戻り、排気モードでの運転を継続させる。一方、空気質が改善されて基準値を下回れば判定を否定し、ステップＳ３５に進む。そのステップＳ３５では運転モードを排気モードから通常モードに移行させる。その後、先のステップＳ１２に戻り、通常モードでの運転を実行する。
【００６５】
ここで、図７の建物全体図に示されているように、前述した屋内空間部１１（第１空間部１１）を有する建物１０は、当該屋内空間部１１の他にも、外壁部１６によって屋外と仕切られた屋内空間部（第２空間部１２〜第４空間部１４）を有している。そして、それら他空間部としての第２空間部１２〜第４空間部１４の各外壁部１６においても同様に前記通気通路２１が形成され、それぞれには前記屋外側換気口３０及び屋内側換気口４０が設けられている。このため、第２空間部１２〜第４空間部１４では、通気通路２１及び両換気口３０，４０を通じて自然換気が行われている。
【００６６】
もっとも、前述したように前記屋内側換気口４０と空気清浄機２２につながるダクト９１とは着脱自在となっている。そこで、第１空間部１１において屋内側換気口４０からダクト９１を取り外した後、空気清浄機２２及びダクト９１を第２空間部１２〜第４空間部１４のいずれかに持ち込み、当該空間部で屋内側換気口４０とダクト９１とを接続させる。そうすると、その空間部に機械換気が可能な換気設備２０が設置されることになり、強制的な外気導入及び内気循環を行えるようになる。
【００６７】
以上より、本実施の形態によれば以下に示す有利な効果が得られる。
【００６８】
換気設備２０により、通気通路２１を通じて、屋内空間部１１への外気導入及び同空間部１１の内気排気を選択的に実行し、屋内空間部１１の空気環境を改善できる。すなわち、屋内空間部１１に屋外の新鮮な空気を導入して当該空間部１１の二酸化炭素濃度を下げて酸素濃度を上げたり、屋内空間部１１の埃、花粉、臭気等を除去したりする等の環境改善ができる。
【００６９】
建物１０の各屋内空間部１１〜１４にはその外壁部１６に通気通路２１が形成されており、任意の空間部に空気清浄機２２を持ち運んで通気通路２１と接続させれば当該空間部に換気設備２０を設置できる。これにより、すべての屋内空間部１１〜１４に空気清浄機２２を常設する必要がなくなり、換気に関する設備費用を低く抑えることができる。また、納戸等、空気清浄機が常設されない空間部でも通気通路２１を形成しておけば、空気清浄機２２を持ち込んで換気設備２０を構成し、空気を清浄化できる。その他、特定の空間部に人が多く集まったため、既設の換気設備だけで十分な換気が行えない場合に、空気清浄機２２を持ち込んで換気機能の増強させることができる。
【００７０】
空気清浄機２２は床面１７に設置され、空気取入口８２が本体下部に設けられているため、床面１７上の埃等を積極的に吸い込んで空気清浄化を促進できる。
【００７１】
空気清浄機２２は内蔵されたファン装置８５の回転方向を反転させることにより、外気導入状態と内気排気状態とが切り替えられる。これにより、外気導入用のファン装置と内気排気用のファン装置とを共通化し、構成の単純化や製造コストの低減が可能となる。
【００７２】
運転モードが自動運転モードの場合、制御装置８８は、屋内外の空気質センサ３６，４６及び騒音センサ３７からの情報に基づいて空気清浄機２２の駆動を自動制御している。これにより、屋内外の空気環境に応じた空気清浄機２２の駆動制御を実行して、ユーザの利便性を高めることができる。
【００７３】
なお、以上説明した実施の形態に限らず、例えば以下に別例として示した形態で実施することもできる。
【００７４】
上記実施の形態では、空気清浄機２２の機器本体８１に内蔵されたフィルタ８４とは別で、屋内側換気口４０にフィルタ４５が設けられているが、それとともに又はそれに代えてダクトにフィルタが設けられた構成としてもよい。その場合の構成例として、図８に示されたダクト１０１は通路側ダクト１０２と機器側ダクト１０３とが継手等の連結部１０４により着脱自在に連結されてなり、当該連結部１０４にフィルタ１０５が設けられている。これにより、フィルタ１０５の通過によって清浄化された外気が機器本体８１に送られるため、機器本体８１に送られた外気をそのまま排出したり、外気の一層の清浄化を実現できる。そして、通路側ダクト１０２と機器側ダクト１０３との連結を解除すればフィルタ１０５を容易に交換することもできる。
【００７５】
上記実施の形態では、空気清浄機２２に対し電源を供給する構成について特に言及されていないが、屋内側換気口４０にダクト９１が接続されると、その接続に伴って電源供給も可能となる給電構成を採用してもよい。これにより、電源コンセントの有無や設置箇所等に関係なく、空気清浄機２２に電源を供給できるようになるため、電源コンセントを利用した電源供給が困難な場合でも空気清浄機２２を運転できる。
【００７６】
その構成例を図９及び図１０に示す。まず、図９に示された構成例では、屋内側換気口４０を構成する可動筒体４２の内周面に、係合溝１１１が設けられている。そして、この係合溝１１１に係合する係合部１１２がダクト９１の先端部に設けられている。係合部１１２はダクト９１の外周面から突出した状態と、その外周面より内側に没入した状態との間で揺動可能に設けられ、前者の突出状態が付勢力によって維持されている。このため、ダクト９１を可動筒体４２内に挿入すると係合部１１２が係合溝１１１に係合し、これによりダクト９１が抜けることを防いでいる。なお、係合部１１２を没入させれば口元９２の取り外しが可能となる。
【００７７】
また、可動筒体４２の内周面には環状の給電部１１３が設けられ、給電部１１３は交流電源ＡＣに接続されている。一方、ダクト９１の先端部にはそのダクト９１を可動筒体４２に挿入した場合に給電部１１３と接触する受電部１１４が設けられている。受電部１１４は例えばダクト９１内部に設けられた配線を通じて機器本体８１の制御装置８８等に接続されている。かかる構成では、ダクト９１を屋内側換気口４０に挿入して接続すれば給電部１１３と受電部１１４とが接触し、その両者の接触により機器本体８１に電源を供給できる。
【００７８】
その他、図１０に示された構成例のように、ダクト９１の先端から突出するように受電部１１５が設けられるとともに、その受電部１１５が挿入される挿入孔１１６を有する給電部１１７が可動筒体４２の内周面に設けられた構成としてもよい。この構成でも、ダクト９１を屋内側換気口４０に挿入して接続すれば受電部１１５が給電部１１７に挿入されて両者が接触し、その両者の接触により機器本体８１に電源を供給できる。なお、この場合、ダクト９１の先端部に設けられた突部１１８と、可動筒体４２に設けられた溝１１９とで位置決めされるようにすれば、受電部１１５と給電部１１７との位置合わせを容易に行うことができる。
【００７９】
上記実施の形態において、通気通路２１に当該通気通路２１を開閉する一開閉手段としての開閉シャッタが設けられた構成としてもよい。図１１にその構成例が示されているように、開閉シャッタ１２１は通気通路２１の内径とほぼ同じ径を有する円板状をなし、その上下中央部には水平方向に延びる回転軸１２２が設けられている。この回転軸１２２を中心軸として、板面が鉛直方向と平行をなす閉位置と、板面が水平方向と平行をなす開位置との間で回転可能となっている。回転軸１２２には図示しない駆動装置が連結されており、この駆動装置により開閉シャッタ１２１が回転駆動される。かかる開閉シャッタ１２１が設けられることにより、例えば屋内外の空気環境の相違が著しい場合など所望の場合に、開閉シャッタ１２１を閉位置に配置して外気の影響を抑制できる。
【００８０】
なお、開閉シャッタ１２１の駆動装置を空気清浄機２２の制御装置８８に接続すれば、開閉シャッタ１２１の開閉を自動化してユーザの利便性を高めることができる。また、開閉シャッタ１２１による通気通路２１の閉状態を確実なものとするため、開閉シャッタ１２１の外周部にシール部材が設けられた構成としてもよいし、開閉シャッタ１２１の断熱性を高めて外気からの熱伝導を抑制したりしてもよい。
【００８１】
上記実施の形態において、通気通路２１内に、例えば芳香剤の香りを送り出す香り発生装置等の香り発生手段が設けられた構成としてもよい。これにより、香りを含んだ外気を導入して屋内の空気環境を向上させることができる。
【００８２】
上記実施の形態では、空気清浄機２２は機器本体８１とダクト９１とを備えているが、ダクト９１を省略した構成を採用してもよい。この場合、機器本体８１内の流路につながる挿入部が機器本体８１に設けられ、その挿入部が屋内側換気口４０の接続口７６に挿入される構成が例として考えられる。これにより、ダクト９１が設けられた構成と比べ、空気清浄機２２と外壁部１６の内壁面との間隔を短くして、換気設備２０のコンパクト化を実現できる。
【００８３】
上記実施の形態において、蓋部７１の周縁部や、口元９２と接続口７６との接続部にシール部材が設けられた構成としてもよい。これにより、通気通路２１とダクト９１との間で空気が流通する場合の空気漏れを防ぐことができる。
【図面の簡単な説明】
【００８４】
【図１】換気設備を示す縦断面図。
【図２】屋内側換気口の正面図。
【図３】屋内側換気口の縦断面図。
【図４】換気設備の斜視図。
【図５】ダクトが接続された状態の屋内側換気口を示す縦断面図。
【図６】自動運転処理の流れを示す図。
【図７】建物全体を示す縦断面図。
【図８】ダクトの別例を示す正面図。
【図９】ダクトの接続構成に関する別例を示す断面図。
【図１０】ダクトの接続構成に関する別例を示す断面図。
【図１１】通気通路に開閉シャッタが設けられた別例を示す断面図。
【符号の説明】
【００８５】
１０…建物、１１〜１４…屋内空間部、１６…外壁部、１７…床面、２０…換気設備、２１…通気通路、２２…空気清浄機、３６…屋外側空気質センサ（空気環境検出手段）、３７…騒音センサ（空気環境検出手段）、４０…屋内側換気口、４２…可動筒体（蓋部材）４６…屋内側空気質センサ（空気環境検出手段）、８５…ファン装置、８８…制御装置（制御手段）、９１…ダクト、９２…口元（接続部）、１０２…通路側ダクト、１０３…機器側ダクト、１０４…連結部、１０５…フィルタ、１１３…給電部、１１４…受電部、１１５…受電部、１１７…給電部、１２１…開閉シャッタ（開閉手段）。
【図１】
2009186126.tif 000003
【図２】
2009186126.tif 000004
【図３】
2009186126.tif 000005
【図４】
2009186126.tif 000006
【図５】
2009186126.tif 000007
【図６】
2009186126.tif 000008
【図７】
2009186126.tif 000009
【図８】
2009186126.tif 000010
【図９】
2009186126.tif 000011
【図１０】
2009186126.tif 000012
【図１１】
2009186126.tif 000013